(57)【特許請求の範囲】
【請求項１】
ＶＨＦ帯のハイバンド又はローバンドに同調するように切り替えられる同調回路と、前記同調回路の次段に設けられた高周波増幅器と、前記同調回路と前記高周波増幅器とを結合する結合用バラクタダイオードとを備え、前記同調回路は、一端が接地された同調用バラクタダイオードと、前記同調用バラクタダイオードの他端とグランドとの間に設けられ、前記他端側から順に高周波的に直列接続された第１のハイバンドコイル、第１のローバンドコイル、第２のローバンドコイル、第２のハイバンドコイルと、前記第１のローバンドコイルと前記第２のローバンドコイルとの両端に跨って高周波的に並列接続され、オン又はオフに切り替えられるスイッチダイオードとを有し、前記第１のローバンドコイルと前記第２のローバンドコイルとの接続点に信号を入力し、前記結合用バラクタダイオードの一端を前記同調用バラクタダイオードの前記他端に接続すると共に、前記結合用バラクタダイオードの他端を前記高周波増幅器に接続し、前記同調用バラクタダイオードの容量と前記結合用バラクタダイオードの容量とを互いに連動して増減させ、前記第１のローバンドコイルと前記第１のハイバンドコイルと前記結合用バラクタダイオードとに跨って並列接続され、同調周波数に対するイメージ周波数に共振するための第１のコンデンサを設け、前記第１のハイバンドコイルと前記第１のローバンドコイルと前記第２のローバンドコイルとに跨って高周波的に並列接続され、同調周波数に対するトラッキング補正用の第２のコンデンサを設けたことを特徴とするテレビジョンチューナ。
【請求項２】
前記同調用バラクタダイオードのアノードを接地すると共に、カソードを結合用バラクタダイオードのカソードに接続し、前記結合用バラクタダイオードのアノードを直流的に接地し、前記同調用バラクタダイオード及び結合用バラクタダイオードのそれぞれのカソードに同調電圧を印加するようにしたことを特徴とする請求項１記載のテレビジョンチューナ。
【請求項３】
前記スイッチダイオードのカソードと前記第２のローバンドコイルとの接続点の間に直流カットコンデンサを介挿し、前記第２のコンデンサを前記スイッチダイオードのカソードに接続したことを特徴とする請求項１、２記載のテレビジョンチューナ。
【発明の詳細な説明】
【０００１】
【発明の属する技術分野】
本発明は、テレビジョンチューナに関し、特にＶＨＦ帯のローバンド又はハイバンドの周波数帯に同調するように切り替え可能なテレビジョンチューナに関する。
【０００２】
【従来の技術】
従来のテレビジョンチューナについて図４によって説明する。図４において、テレビジョンチューナは、順に直列接続された入力回路４１、同調回路４２、結合用バラクタダイオードＶＤ１、直流カットコンデンサＣ３、高周波増幅器４３から構成されている。
【０００３】
入力回路４１は、テレビアンテナ４４に接続されたテレビジョン信号の入力端４１ａと、入力端４１ａとグランドとの間に接続されたコイル４１ｂと、一端が入力端４１ａに接続された直流カットコンデンサ４１ｃと、コンデンサ４１ｃの他端とグランドとの間に設けられ、順に直列接続されたコイル４１ｄとコンデンサ４１ｅと、コンデンサ４１ｃの他端に一端同士が並列接続されたコイル４１ｆとコンデンサ４１ｇとから構成され、このコイル４１ｆ及びコンデンサ４１ｇの他端４１ｈが次段の同調回路４２への信号の出力端となっている。
この入力回路４１は、主として落雷の対策として、及び、ＦＭ放送などに使用される周波数やテレビ信号の中間周波数域（日本においては５９ＭＨｚ、米国においては４６ＭＨｚ）を減衰するように構成されている。
【０００４】
同調回路４２は、図示のように、アノードが接地された同調用バラクタダイオードＶＤ２と、同調用バラクタダイオードＶＤ２のカソードとグランドとの間に設けられ、順に直列接続されたハイバンド受信用コイルＬ４、直流カットコンデンサＣ４、ローバンド受信用コイルＬ３、ローバンド受信用コイルＬ１、ハイバンド受信用コイルＬ２、直流カットコンデンサＣ５から主同調部が構成されている。
ここで、ローバンド受信用コイルＬ１及びＬ３のインダクタンス値は、ハイバンド受信用コイルＬ２及びＬ４よりも大きく設定され、また、ローバンド受信用コイルＬ３とローバンド受信用コイルＬ１との接続点が入力回路４１の出力端４１ｈに接続され、この同調回路４２の信号の入力端になっている。
【０００５】
また、直列に接続されたローバンド受信用コイルＬ３とローバンド受信用コイルＬ１とに跨って並列に、互いに直列接続されたスイッチダイオードＤ１と直流カットコンデンサＣ６が設けられている。
そして、スイッチダイオードＤ１は、アノードがローバンド受信用コイルＬ３と直流カットコンデンサＣ４との接続点に接続されると共に、カソードが直流カットコンデンサＣ６の一端に接続され、直流カットコンデンサＣ６の他端は、ローバンド受信用コイルＬ１とハイバンド受信用コイルＬ２との接続点に接続されている。
【０００６】
また、ハイバンド受信用コイルＬ２と直流カットコンデンサＣ５との接続点は、抵抗Ｒ１を介して接地されると共に、抵抗Ｒ２を介して、例えば＋５Ｖの電圧を供給する電源端子Ｂに接続されている。この２つの抵抗Ｒ１、Ｒ２により、スイッチダイオードＤ１のアノードには、電源端子Ｂの電圧を抵抗Ｒ１と抵抗Ｒ２とによって分圧された電圧が印加されている。さらに、スイッチダイオードＤ１のカソードは、抵抗Ｒ３を介して、同調回路４２をローバンドのテレビジョン信号受信状態又はハイバンドのテレビジョン信号受信状態に切り替えるための切替電圧を印加するバンド切替端子Ｓｗに接続されている。そして、ハイバンド受信用コイルＬ４と直流カットコンデンサＣ４との接続点は、抵抗Ｒ４を介して、同調電圧を供給する同調電圧供給端子Ｔｕに接続されている。
【０００７】
次に、同調用バラクタダイオードＶＤ２のカソードは、結合用バラクタダイオードＶＤ１のカソードに接続され、結合用バラクタダイオードＶＤ１のアノードは、直流カットコンデンサＣ３を介して次段の高周波増幅器４３に接続されると共に、抵抗Ｒ５を介して接地されている。
【０００８】
また、結合用バラクタダイオードＶＤ１のアノードと、ローバンド受信用コイルＬ３とローバンド受信用コイルＬ１との接続点との間にコンデンサＣ１が接続されている。
このコンデンサＣ１と、ローバンド受信用コイルＬ３と、ハイバンド受信用コイルＬ４と、結合用バラクタダイオードＶＤ１とから共振回路が構成され、同調回路４２の同調周波数に対するイメージ周波数に共振するよう設定されている。そして、直列接続されたハイバンド受信用コイルＬ４と直流カットコンデンサＣ４とに跨って、並列にコンデンサＣ２が接続されている。
【０００９】
以上のような構成において、同調回路４２をハイバンドのテレビジョン信号を受信する状態に切り替えるときは、バンド切替端子Ｓｗに、ローレベルの、例えば０Ｖの電圧を印加する。すると、スイッチダイオードＤ１には順方向の電圧が印加されるので導通状態になり、同調回路４２は、図５に等価回路で示すように、ハイバンド受信用コイルＬ２、ハイバンド受信用コイルＬ４、同調用バラクタダイオードＶＤ２からなる同調回路となる。
この結果、高い周波数の帯域の信号を受信できる状態となり、同調電圧供給端子Ｔｕに印加する電圧の調整により、同調用バラクタダイオードＶＤ２の容量が変化し、所望の同調周波数の信号が得られ、この信号が次段の高周波増幅器４３に出力される。
このとき、コンデンサＣ１、並列接続されたコイルＬ３及びコイルＬ１、並列接続されたコイルＬ４及びコンデンサＣ２、結合用バラクタダイオードＶＤ１によって共振回路が構成され、この共振回路は、結合用バラクタダイオードＶＤ１の容量は同調用バラクタダイオードＶＤ２の容量に連動して増減するので、ハイバンド帯の同調周波数に対するイメージ周波数を減衰するトラップ回路として機能する。
また、コンデンサＣ２は、コイルＬ４に並列接続された形となるので、このコンデンサＣ２は、同調回路４２の同調周波数とトラップ回路の共振周波数とのトラッキング（前述した中間周波数の２倍の周波数差で変化すること）補正の機能をする。
【００１０】
また、同調回路４２をローバンドのテレビジョン信号を受信する状態に切り替えるときは、バンド切替端子Ｓｗに、ハイレベルの、例えば、電源端子Ｂが供給する電圧と同じ電圧を印加する。すると、スイッチダイオードＤ１には逆方向の電圧が印加されるので非導通状態になり、同調回路４２は、図６に等価回路で示すように、ローバンド受信用コイルＬ１、ハイバンド受信用コイルＬ２、ローバンド受信用コイルＬ３、ハイバンド受信用コイルＬ４、同調用バラクタダイオードＶＤ２からなる同調回路となる。
この結果、低い周波数の帯域の信号を受信できる状態となり、同調電圧供給端子Ｔｕに印加する電圧の調整により、同調用バラクタダイオードＶＤ２の容量が変化し、所望の同調周波数の信号が得られ、この信号が次段の高周波増幅器４３に出力される。
このとき、コンデンサＣ１、コイルＬ３、並列接続されたコイルＬ４及びコンデンサＣ２、結合用バラクタダイオードＶＤ１によって共振回路が構成され、この共振回路は、結合用バラクタダイオードＶＤ１の容量は同調用バラクタダイオードＶＤ２の容量に連動して増減するので、ローバンド帯の同調周波数に対するイメージ周波数を減衰するトラップ回路として機能する。
【００１１】
【発明が解決しようとする課題】
しかしながら、このようなテレビジョンチューナでは、ハイバンド受信時においては、コンデンサＣ２は、同調回路４２の同調周波数とトラップ回路の共振周波数とのトラッキング補正の機能をするが、ローバンド受信時においては、ハイバンド受信用コイルＬ４のインダクタンスはローバンド受信用コイルＬ１、Ｌ３に比べて小さく無視できるので、コンデンサＣ２は、ハイバンド受信用コイルＬ４にてシャントされる形となり、トラッキングのためには意味を持たない容量になっている。
したがって、ローバンド受信時においては、コンデンサＣ２は、コンデンサＣ１、ローバンド受信用コイルＬ３、ハイバンド受信用コイルコイルＬ４、結合用バラクタダイオードＶＤ１からなるトラップ回路の共振周波数を同調周波数にトラッキングさせるための補正には寄与しなくなり、トラッキングがずれてしまうという問題があった。
【００１２】
本発明は、前述したような問題点に鑑みてなされたもので、ローバンド受信時においても、同調周波数に対するイメージ周波数を減衰するためのトラップ回路の共振周波数と同調回路の同調周波数とのトラッキング特性を改善することを目的とする。
【００１３】
【課題を解決するための手段】
前記課題を解決するための解決手段として本発明のテレビジョンチューナは、ＶＨＦ帯のハイバンド又はローバンドに同調するように切り替えられる同調回路と、前記同調回路の次段に設けられた高周波増幅器と、前記同調回路と前記高周波増幅器とを結合する結合用バラクタダイオードとを備え、前記同調回路は、一端が接地された同調用バラクタダイオードと、前記同調用バラクタダイオードの他端とグランドとの間に設けられ、前記他端側から順に高周波的に直列接続された第１のハイバンドコイル、第１のローバンドコイル、第２のローバンドコイル、第２のハイバンドコイルと、前記第１のローバンドコイルと前記第２のローバンドコイルとの両端に跨って高周波的に並列接続され、オン又はオフに切り替えられるスイッチダイオードとを有し、前記第１のローバンドコイルと前記第２のローバンドコイルとの接続点に信号を入力し、前記結合用バラクタダイオードの一端を前記同調用バラクタダイオードの前記他端に接続すると共に、前記結合用バラクタダイオードの他端を前記高周波増幅器に接続し、前記同調用バラクタダイオードの容量と前記結合用バラクタダイオードの容量とを互いに連動して増減させ、前記第１のローバンドコイルと前記第１のハイバンドコイルと前記結合用バラクタダイオードとに跨って並列接続され、同調周波数に対するイメージ周波数に共振するための第１のコンデンサを設け、前記第１のハイバンドコイルと前記第１のローバンドコイルと前記第２のローバンドコイルとに跨って高周波的に並列接続され、同調周波数に対するトラッキング補正用の第２のコンデンサを設けた。この構成としたことで、スイッチダイオードがオフのときには、第１のハイバンドコイル、第１のローバンドコイル、第２のローバンドコイル、第２のハイバンドコイル、同調用バラクタダイオード、第２のコンデンサから主同調部が構成され、第１のコンデンサ、第１のローバンドコイル、第１のハイバンドコイル、結合用バラクタダイオード、第２のコンデンサから同調周波数に対するイメージ周波数に共振するためのトラップ回路が構成される。そして、第２のコンデンサによって、第２のコンデンサに並列接続されたコイルのインダクタンス成分が増えるので、同調回路の同調周波数とトラップ回路の共振周波数とのトラッキング特性が改善される。
【００１４】
また、同調用バラクタダイオードのアノードを接地すると共に、カソードを結合用バラクタダイオードのカソードに接続し、結合用バラクタダイオードのアノードを直流的に接地し、同調用バラクタダイオード及び結合用バラクタダイオードのそれぞれのカソードに同調電圧を印加するようにした。
この構成としたことで、同調用バラクタダイオードの容量と結合用バラクタダイオードの容量とを互いに連動して同一方向に増減できる。
【００１５】
また、スイッチダイオードのカソードと第２のローバンドコイルとの接続点の間に直流カットコンデンサを介挿し、第２のコンデンサをスイッチダイオードのカソードに接続した。
この構成としたことで、スイッチダイオードがオンのときには、第２のコンデンサを第１のハイバンドコイルに並列に接続し、スイッチダイオードがオフのときには、第２のコンデンサを第２のローバンドコイル、第１のローバンドコイル、第１のハイバンドコイルに並列に接続することができる。また、スイッチダイオードのオン・オフの切り替えが容易にできる。
【００１６】
【発明の実施の形態】
以下、本発明のテレビジョンチューナの実施の形態を図１〜図３に基づいて説明する。まず、図１は本発明のテレビジョンチューナの回路図であり、図２は本発明のテレビジョンチューナのハイバンド受信時の等価回路図であり、図３は本発明のテレビジョンチューナのローバンド受信時の等価回路図である。
【００１７】
本発明のテレビジョンチューナは、順に直列接続された入力回路１１、同調回路１２、結合用バラクタダイオードＶＤ１、直流カットコンデンサＣ３、高周波増幅器１３によって構成されている。
【００１８】
入力回路１１は、テレビアンテナ１４に接続されたテレビジョン信号の入力端１１ａと、入力端１１ａとグランドとの間に接続されたコイル１１ｂと、一端が入力端１１ａに接続された直流カットコンデンサ１１ｃと、コンデンサ１１ｃの他端とグランドとの間に設けられ、順に直列接続されたコイル１１ｄとコンデンサ１１ｅと、コンデンサ１１ｃの他端に一端同士が並列接続されたコイル１１ｆとコンデンサ１１ｇとから構成され、このコイル１１ｆ及びコンデンサ１１ｇの他端１１ｈが次段の同調回路１２への信号の出力端となっている。
この入力回路１１は、主として落雷の対策として、及び、ＦＭ放送などに使用される周波数やテレビ信号の中間周波数域（日本においては５９ＭＨｚ、米国においては４６ＭＨｚ）を減衰するように構成されている。
【００１９】
同調回路１２は、図示のように、アノードが接地された同調用バラクタダイオードＶＤ２と、同調用バラクタダイオードＶＤ２のカソードとグランドとの間に設けられ、順に直列接続された第１のハイバンド受信用コイルＬ４、直流カットコンデンサＣ４、第１のローバンド受信用コイルＬ３、第２のローバンド受信用コイルＬ１、第２のハイバンド受信用コイルＬ２、直流カットコンデンサＣ５から主同調部が構成されている。
ここで、ローバンド受信用コイルＬ１及びＬ３のインダクタンス値は、ハイバンド受信用コイルＬ２及びＬ４よりも大きく設定され、また、ローバンド受信用コイルＬ３とローバンド受信用コイルＬ１との接続点が入力回路１１の出力端１１ｈに接続され、この同調回路１２の信号の入力端になっている。
【００２０】
また、直列に接続されたローバンド受信用コイルＬ３とローバンド受信用コイルＬ１とに跨って並列に、互いに直列接続されたスイッチダイオードＤ１と直流カットコンデンサＣ６が設けられている。
そして、スイッチダイオードＤ１は、アノードがローバンド受信用コイルＬ３と直流カットコンデンサＣ４との接続点に接続されると共に、カソードが直流カットコンデンサＣ６の一端に接続され、直流カットコンデンサＣ６の他端は、ローバンド受信用コイルＬ１とハイバンド受信用コイルＬ２との接続点に接続されている。
【００２１】
また、ハイバンド受信用コイルＬ２と直流カットコンデンサＣ５との接続点は、抵抗Ｒ１を介して接地されると共に、抵抗Ｒ２を介して、例えば＋５Ｖの電圧を供給する電源端子Ｂに接続されている。この２つの抵抗Ｒ１、Ｒ２により、スイッチダイオードＤ１のアノードには、電源端子Ｂの電圧を抵抗Ｒ１と抵抗Ｒ２とによって分圧された電圧が印加されている。さらに、スイッチダイオードＤ１のカソードは、抵抗Ｒ３を介して、同調回路１２をローバンドのテレビジョン信号受信状態又はハイバンドのテレビジョン信号受信状態に切り替えるための切替電圧を印加するバンド切替端子Ｓｗに接続されている。そして、ハイバンド受信用コイルＬ４と直流カットコンデンサＣ４との接続点は、抵抗Ｒ４を介して、同調電圧を供給する同調電圧供給端子Ｔｕに接続されている。
【００２２】
次に、同調用バラクタダイオードＶＤ２のカソードは、結合用バラクタダイオードＶＤ１のカソードに接続され、結合用バラクタダイオードＶＤ１のアノードは、直流カットコンデンサＣ３を介して次段の高周波増幅器１３に接続されると共に、抵抗Ｒ５を介して接地されている。
【００２３】
また、結合用バラクタダイオードＶＤ１のアノードと、ローバンド受信用コイルＬ３とローバンド受信用コイルＬ１との接続点との間に第１のコンデンサＣ１が接続されている。
このコンデンサＣ１と、ローバンド受信用コイルＬ３と、ハイバンド受信用コイルＬ４と、結合用バラクタダイオードＶＤ１とから共振回路が構成され、同調回路１２の同調周波数に対するイメージ周波数に共振するよう設定されている。そして、スイッチダイオードＤ１のカソードと同調用バラクタダイオードＶＤ２のカソードとの間に第２のコンデンサＣ２が接続されている。
【００２４】
以上のような構成において、同調回路１２をハイバンドのテレビジョン信号を受信する状態に切り替えるときは、バンド切替端子Ｓｗに、ローレベルの、例えば０Ｖの電圧を印加する。すると、スイッチダイオードＤ１には順方向の電圧が印加されるので導通状態になり、同調回路１２は、図２に等価回路で示すように、ハイバンド受信用コイルＬ２、ハイバンド受信用コイルＬ４、同調用バラクタダイオードＶＤ２からなる同調回路となる。
この結果、高い周波数の帯域の信号を受信できる状態となり、同調電圧供給端子Ｔｕに印加する電圧の調整により、同調用バラクタダイオードＶＤ２の容量が変化し、所望の同調周波数の信号が得られ、この信号が次段の高周波増幅器１３に出力される。
このとき、コンデンサＣ１、コイルＬ３、コイルＬ４、結合用バラクタダイオードＶＤ１によって共振回路が構成され、この共振回路は、ハイバンド帯の同調周波数に対するイメージ周波数を減衰するトラップ回路として機能する。
また、コンデンサＣ２は、コイルＬ４に並列接続された形となり、このコンデンサＣ２は、同調回路１２の同調周波数と同調周波数に対するイメージ周波数を減衰するトラップ回路とのトラッキングを補正する働きをする。
【００２５】
また、同調回路１２をローバンドのテレビジョン信号を受信する状態に切り替えるときは、バンド切替端子Ｓｗに、ハイレベルの、例えば、電源端子Ｂが供給する電圧と同じ電圧を印加する。すると、スイッチダイオードＤ１には逆方向の電圧が印加されるので非導通状態になり、同調回路１２は、図３に等価回路で示すように、ローバンド受信用コイルＬ１、ハイバンド受信用コイルＬ２、ローバンド受信用コイルＬ３、ハイバンド受信用コイルＬ４、同調用バラクタダイオードＶＤ２からなる同調回路となる。
この結果、低い周波数の帯域の信号を受信できる状態となり、同調電圧供給端子Ｔｕに印加する電圧の調整により、同調用バラクタダイオードＶＤ２の容量が変化し、所望の同調周波数の信号が得られ、この信号が次段の高周波増幅器１３に出力される。
このとき、コンデンサＣ１、コイルＬ３、コイルＬ４、結合用バラクタダイオードＶＤ１によって共振回路が構成され、この共振回路は、ローバンド帯の同調周波数に対するイメージ周波数を減衰するトラップ回路として機能する。
また、コンデンサＣ２は、コイルＬ１、Ｌ３、Ｌ４に並列接続された形となり、インダクタンス成分を増やすので、同調回路１２の同調周波数と同調周波数に対するイメージ周波数を減衰するトラップ回路とのトラッキングを補正する働きをする。
【００２６】
【発明の効果】
以上述べたように、本発明のテレビジョンチューナは、直列接続された第１のハイバンドコイルと第１のローバンドコイルと第２のローバンドコイルとに跨って高周波的に並列接続され、同調周波数に対するトラッキング補正用の第２のコンデンサを設けたので、ローバンド受信時においても、イメージ周波数を減衰するためのトラップ回路の共振周波数と同調回路の同調周波数とのトラッキング特性が改善される。
【図面の簡単な説明】
【図１】本発明のテレビジョンチューナの構成を示す回路図である。
【図２】本発明のテレビジョンチューナのハイバンド受信時の等価回路図である。
【図３】本発明のテレビジョンチューナのローバンド受信時の等価回路図である。
【図４】従来のテレビジョンチューナの構成を示す回路図である。
【図５】従来のテレビジョンチューナのハイバンド受信時の等価回路図である。
【図６】従来のテレビジョンチューナのローバンド受信時の等価回路図である。
【符号の説明】
１２  同調回路
１３  高周波増幅器
Ｃ１  第１のコンデンサ
Ｃ２  第２のコンデンサ
Ｃ６  直流カットコンデンサ
Ｄ１  スイッチダイオード
Ｌ１  第２のローバンド受信用コイル
Ｌ２  第２のハイバンド受信用コイル
Ｌ３  第１のローバンド受信用コイル
Ｌ４  第１のハイバンド受信用コイル
ＶＤ１  結合用バラクタダイオード
ＶＤ２  同調用バラクタダイオード
【図１】
0004043222.tif 000002
【図２】
0004043222.tif 000003
【図３】
0004043222.tif 000004
【図４】
0004043222.tif 000005
【図５】
0004043222.tif 000006
【図６】
0004043222.tif 000007